(57)【要約】【課題】一部または全体を冷蔵庫などで冷やして使う冷凍具であって、被冷却体の形状に合わせて変形し、被冷却体との接触部から熱を奪い取ることができる冷凍具を提供する。【解決手段】冷凍具の器本体１内には、凝固点温度の異なる２種類の潜熱蓄冷材４と潜熱蓄冷材５が各々分離して収納されている。器本体の一部または全体が変形可能な軟らかい材料で形成され且つ使用時に潜熱蓄冷材４が液体もしくは半凝固状態であるので、接触する被冷却体の形状に合わせて変形し、凝固状態の潜熱蓄冷材５の融解などによって被冷却体から熱を奪い冷凍することができる。【選択図】図１
2006200813.tif 000002
【特許請求の範囲】
【請求項１】
被冷却体を冷凍もしくは冷却する冷凍具において、少なくとも前記被冷却体と接触する部分が前記被冷却体の形状に応じた変形可能な材料で形成された器本体と、前記器本体内に凝固点温度の異なる２種類の潜熱蓄冷材と、前記器本体内にて前記２種類の潜熱蓄冷材を分離する仕切り部材とを具備することを特徴とする冷凍具
【請求項２】
２種類の潜熱蓄冷材のうち凝固点温度の高い方の潜熱蓄冷材を、少なくとも一個以上の仕切り部材の容器に封入して、器本体内に注入・保持された凝固点温度の低い方の潜熱蓄冷材と分離したことを特徴とする請求項１に記載の冷凍具
【請求項３】
器本体内の潜熱蓄冷材保持部に、熱伝導材を具備したことを特徴とする請求項１または請求項２のいずれかに記載の冷凍具
【請求項４】
器本体の外周部を覆う断熱体を具備することを特徴とする請求項１から請求項３のいずれかに記載の冷凍具
【請求項５】
器本体と断熱体が脱着可能であることを特徴とする請求項４に記載の冷凍具
【請求項６】
断熱体と一体に、被冷却体を入れて冷凍もしくは冷却処理する凹部を具備したことを特徴とする請求項５に記載の冷凍具
【請求項７】
器本体に、被冷却体を入れて冷凍もしくは冷却処理する少なくとも一箇所以上の凹部を具備したことを特徴とする請求項１から請求項５のいずれかに記載の冷凍具
【請求項８】
器本体が被冷却体を両面から挟み込む構造であって、前記被冷却体を前記器本体内に保持し冷凍もしくは冷却処理することを特徴とする請求項１から請求項５のいずれかに記載の冷凍具
【請求項９】
器本体の外周部が二重構造の袋状であって、前記二重構造の空洞部に２種類の潜熱蓄冷材を収納し、前記器本体の袋状内部に被冷却体を出し入れ可能に保持することを特徴とする請求項１から請求項５のいずれかに記載の冷凍具
【発明の詳細な説明】
【技術分野】
【０００１】
本発明は、被冷却体の形状に合わせて変形して被冷却体を冷凍もしくは冷却する冷凍具に関する。
【背景技術】
【０００２】
加熱用の器具や機材は、天然資源をそのままの状態でも利用できたため古くから各種普及してきたが、冷凍や冷却用の器具や機材は、人工的な素材や設備を活用するために、限られた用途の限られた商品しか普及してこなかった。食材を屋内外で冷凍もしくは冷却調理したり、人体や物などを手軽に冷やしたりする様々な潜在ニーズが沢山あるにも拘らず、それに応える重宝で実用的な器具や機材の商品化は殆どなされていない。
【０００３】
例えば、好きな食材を使っての目で楽しみながらの冷凍調理も、多量生産品でない手作りの冷凍調理された料理を色々と楽しむという風習もないのが実情である。理科の授業や家庭での特別料理で、アイスクリームやアイスキャンディーなどを作ることもあるがごく稀である。その料理法として、容器に氷と水と塩などを入れ、その氷水の中にボウルなどの器をかぶせて食材を冷凍調理する方法がとられている。
【０００４】
料理前後の手間や調理のたびに氷や水や塩を捨てねばならないこともありこの調理は敬遠されている。一方、子供向けに前記調理法によるアイスクリームなどを作る各種の玩具や空洞部に水と空気を入れた冷蔵庫で凝固させるコップなども商品化されているが、器の空洞部に空気層が存在するなど冷凍能力に乏しくまた用途も限られている。
【０００５】
また発熱や打撲などで人体を冷やす保冷具として、水と氷を利用したものや水と高分子吸収材などを利用したものが多々出回っているが、被冷却体に合わせて変形するタイプの液体状の現商品は冷却能力に乏しいなどの問題がある。一方、冷却能力のある潜熱を利用した食品用保冷材などを活用しようとしても保冷材が凝固するとカチカチに硬くなるので肌触りも悪く且つ被冷却体との接触面積が少ないので使いづらいという問題がある。
【０００６】
人体に合わせて変形するように、水または水を主成分とする氷結する小封入体の保冷材と潤滑剤とを封入した保冷具（例えば、特許文献１参照。）なども考案されているが、小封入体間に潤滑剤が完全に満たされてしまうと冷却能力が低下してしまうために小封入体間に空間が形成されており熱伝導に不利である。また、小封入体および潤滑剤を沢山入れると荷重を受けたときに変形しにくくなるという不都合もあり、人体の形状にそって自由自在に変形するとは言いがたい。
【０００７】
加熱用の器具や機材と同様に、あらゆる分野で冷凍や冷却用の器具や機材の潜在ニーズがあるにも拘らず、それに気づき応えるほど重宝で実用的な冷凍具はない。また商品化されていても、使い勝手が悪い、捨て去る無駄なものがある、冷却性能が貧弱、用途が限られていて他に転用できないなどユーザー本位に立った大局的な視点に欠けている。
【０００８】
例えば、冷凍能力が高くて被冷却体に合わせて柔軟に変形できる実用的な保冷具が無いや、個々人の嗜好や食べたい量などに関係なく食品メーカーによって一方的に提供される形でしか冷凍食品を楽しむことができないなどの問題がある。本発明をキッカケに、潜在市場が明らかになり冷凍や冷却用の様々な器具や機材が普及するものと思われる。
【特許文献１】特開２００１−３４６８２２
【発明の開示】
【発明が解決しようとする課題】
【０００９】
本発明は、前記問題点を解決するためになされたものでその目的とするところは、食器や調理具を使って独自の冷凍料理を好きな量だけ作ったり、ケーキ作り時のクリームの泡立ち促進や加熱調理した物を冷ましたりする用途や、人体その他の被冷却体を冷却したりする用途などに於いて、調理具や人体などの被冷却体の形状に合わせて変形し且つ冷却性能に優れた模範的な冷凍具を提供することによって、市場での潜在ニーズの開花と本発明をきっかけに実用的な冷凍具が各種生み出されることに寄与することである。
【００１０】
冷蔵庫の冷凍室などで蓄冷した冷凍具に、食材の入った調理具や食器或いは食材などの被冷却体を当接させて冷凍もしくは冷却処理した後、冷凍具を冷蔵庫などに戻すだけといったような利便性や、器具や物や人体など被冷却体をあまり限定しない自由度や、冷蔵庫などで冷やす時間が短く且つ所望の量の被冷却体を冷凍できるといった冷却性能などに優れた使い勝手の良い冷凍具を提供することを課題とする。
【課題を解決するための手段】
【００１１】
上記課題を達成すべく本発明の請求項１による冷凍具は、少なくとも被冷却体と接触する部分が剛体で無く変形可能な軟らかい材料で形成された器本体と、器本体内に凝固点温度の異なる２種類の潜熱蓄冷材と、器本体内にて２種類の潜熱蓄冷材を分離する仕切り部材とを具備することを特徴とするものである。
【００１２】
凝固点温度以下の環境下で凝固した潜熱蓄冷材は、液体状態に戻る際の相変化に伴う融解熱によって周りから多くの熱を奪うことができる。また周りとの温度差による顕熱や塩化ナトリウム水溶液が潜熱蓄冷材の場合には塩化ナトリウムが再び水に溶ける際の吸熱により、周りから熱を奪うことができる。
【００１３】
本発明の冷凍具は、冷凍具の器本体内に凝固点温度の異なる２種類の潜熱蓄冷材を有し、且つ２種類の潜熱蓄冷材が仕切り部材で分離されていることを特徴としている。本冷凍具を利用して被冷却体を冷凍もしくは冷却する時、２種類の潜熱蓄冷材のうち、1つは凝固状態で且つ他方は前者より凝固点温度が低く液体もしくは半凝固の状態で利用される。
【００１４】
凝固状態の潜熱蓄冷材は冷却能力を高めるための蓄冷の役割、液体もしくは半凝固状態の潜熱蓄冷材は蓄冷の役割と冷凍具が被冷却体の形状に応じて流動的に変形できる役割を担っている。冷凍具の器本体は少なくとも被冷却体と接触する部分が変形可能な材料で形成されていて調理器具や食器やビンや缶や人体などの被冷却体の形状に応じて器本体の変形部が自在に変形して密着し、被冷却体を冷凍もしくは冷却処理することができる。
【００１５】
器本体の材料は、プラスチックやゴムや金属やガラスや陶磁器や特殊紙或いはプラスチックフィルムや金属フィルムなどであり、耐冷温度が少なくとも−２０℃で、且つ冷凍室と室温との冷熱繰り返しに耐えうる材料である。但し、器本体の少なくとも一部は被冷却体の形状に応じて変形可能な軟らかい材料で形成されている。一方、熱湯を冷ます用途にも使える冷凍具の仕様では、耐熱温度が１００℃以上の条件をも満たす材料となる。
【００１６】
器本体内には２種類の潜熱蓄冷材が具備され且つ潜熱蓄冷材が凝固する際に約１．１倍に膨張しても器本体の少なくとも一部や仕切り部材が変形可能な軟らかい材料で形成されており膨らむことができるので、従来の器具内に空気層が存在するタイプに比べて冷凍能力が高い。また、２種類の潜熱蓄冷材を用いて蓄冷するので冷蔵庫などの性能を最大限に活用することができる。
【００１７】
家庭用冷蔵庫の仕様は、通常−１８℃以下であるが何社かの冷蔵庫の冷凍室の実温度を調べたところ、約−１５℃から約−３０℃であり性能にバラツキがあった。また果汁は０℃で水分が凍り始めシャーベットができる。アイスクリームは−５℃弱でクリーム状になる。食材用としては２種類の潜熱蓄冷材とも−５℃以下で凝固するものが望ましい。
【００１８】
冷凍具の凝固状態で利用する潜熱蓄冷材が、例えば塩化ナトリウム水溶液の場合、塩化ナトリウムの濃度に比例して凝固点温度が下がり１５重量％で約−１１℃、２３重量％以上で約−２１℃まで下げることができる。家庭用の冷蔵庫は通常−２１℃位にまで下がるので、冷凍具の冷凍能力を上げるためにも塩化ナトリウムの濃度は高いことが望ましい。一方、市場で出回っている潜熱蓄冷剤の保冷材は、冷凍室温度が下がらない冷蔵庫でも凝固する仕様になっており冷蔵庫の性能を十分に使い切っていないのが実情である。
【００１９】
冷凍具の液体もしくは半凝固状態で利用する潜熱蓄冷材が、例えば塩化カルシウム水溶液の場合、塩化カルシウムの濃度に比例して凝固点温度が約−５５℃まで下がる。故に濃度調整や他の塩類などを混ぜるなどによって、冷蔵庫の冷凍室内温度にまで下がっても液体もしくは半凝固状態のままである所望の潜熱蓄冷材を作ることができる。
【００２０】
凝固点温度の低い方の液体もしくは半凝固状態で利用する潜熱蓄冷材としては、食品塩の塩化カルシウム水溶液に塩化ナトリウム（食塩）や粉末状のゼラチンや高分子吸収材などを加えた安価で安全な水溶液などが考えられ、例えば高性能冷蔵庫の冷凍室内温度の約−３０℃でも液体もしくは半凝固状態であるように調合される。
【００２１】
本発明の請求項２による冷凍具は、２種類の潜熱蓄冷材のうち凝固点温度の高い方の潜熱蓄冷材を、少なくとも一個以上の仕切り部材の容器に封入して器本体内に注入・保持された凝固点温度の低い方の潜熱蓄冷材と分離したことを特徴としている。凝固状態の凝固点温度の高い方の潜熱蓄冷材が入った例えば球形や角柱形などの複数の容器の周りには、液体もしくは半凝固状態の凝固点温度の低い方の潜熱蓄冷材が充填されていて器本体内は自在に流動可能であるので被冷却体の形状に応じて器本体は変形することができる。
【００２２】
蓄冷性能を高めるためには、器本体内の凝固（相変化）する凝固点温度の高い方の潜熱蓄冷材の量を多くし、液体もしくは半凝固状態の凝固点温度の低い方の潜熱蓄冷材の量をできるだけ少なくすることが好ましい。例えば前記仕切り部材の容器を大小混ぜ合わせるなどにより凝固点温度の低い方の潜熱蓄冷材の占有空間を減らすことができる。
【００２３】
冷凍室では、先ず器本体内の外周側に充填された凝固点温度の低い方の潜熱蓄冷材が熱を奪われ温度が低下する。低下した温度が凝固点温度の高い方の潜熱蓄冷材の凝固点温度より低くなると容器に入った凝固点温度の高い方の潜熱蓄冷材が凝固する。
【００２４】
凝固点温度の低い方の潜熱蓄冷材は、凝固点温度の高い方の潜熱蓄冷材より遅く凝固し早く融解するので、凝固点温度の低い方の潜熱蓄冷材が冷凍室で完全に凝固する（蓄冷能力を高める）製品仕様であっても、冷凍具を利用する時に液体もしくは半凝固状態になれば被冷却体の形状に応じて器本体が変形でき本発明の効果が得られるのは明らかである。
【００２５】
本発明の請求項３による冷凍具は、器本体内の潜熱蓄冷材保持部に熱伝導率の高い熱伝導材を具備することを特徴としているので、器本体内での熱移動が早まり潜熱蓄冷材の相変化も促進される。冷凍室内で潜熱蓄冷材を蓄冷するには従来長時間必要であったことを考慮すると、潜熱蓄冷材保持部に熱伝導材を設けたことによるメリットは大である。また被冷却体も早く減熱されるという効果もある。
【００２６】
熱伝導材としては、ステンレスやアルミニウムや銅などの熱伝導率の良い金属材料が候補としてあげられる。塩水などの環境下を考慮すると材料によっては金属表面に耐塩水用の極薄のコーティングが必要となる。熱伝導材の形状としては、針金のコイル巻き形状や板金を折り曲げしたフィン形状などが考えられる。また、熱伝導材は１つの長い物で形成されていても複数の短い物を分散する形であっても良い。
【００２７】
本発明の請求項４による冷凍具は、器本体の外周部を覆う断熱体を具備することを特徴としている。低温で蓄冷した冷却性能の良い冷凍具ほど、大気との温度差大による熱損失の防止や水滴の付着防止や冷凍具を手で長時間持った際の凍傷防止などの対策が必要であり、器本体の外周部を覆う断熱体を設けることによる実用的な効果は大である。
【００２８】
断熱体は、被冷却体との当接部を除く器本体の外周部を覆うものが好ましいが、外周部全体を覆う断熱体であっても、断熱体の一部をめくれば利用する時に被冷却体との当接部分が露出するような構成であれば勿論良い。また、断熱体の一部に手で握れる取っ手部を設ければ、その取っ手部を持って冷凍具を自在に操ることができる。また取っ手部があれば冷凍具を手が冷えずに持つことができる。
【００２９】
本発明の請求項５による冷凍具は、断熱体と器本体が着脱自在であることを特徴としているので、室内での熱損失を防止する断熱体を冷凍室に入れる時に取り外せば冷凍具を早く蓄冷させることができる。また、器本体の補強や卓上に置いた際の安定性など断熱体が器本体の役割も兼ねることができるので、断熱体の存在によって器本体のより一層の薄肉化などができ冷凍室での潜熱蓄冷材の凝固が早くなる。
【００３０】
また、冷凍室の限られたスペースの有効利用を考慮すると冷凍具から断熱体を取り外して小さくすることができるメリットは大きい。屋外での利用などの際、断熱体と器本体の間にドライアイスなどを挟みこむなどして冷却性能をさらに高めることもできる。
【００３１】
本発明の請求項６による冷凍具は、器本体と断熱体が脱着可能である請求項５の断熱体と一体に、被冷却体を入れて冷凍もしくは冷却処理する凹部を具備したことを特徴としているので、凹部付きの断熱体のユニットに冷凍室等から出した器本体をセットするだけで、凹部に投入した食材等の被冷却体を冷凍処理することができる。
【００３２】
調理具を別に用意する手間や冷凍具に調理具を安定して固定させるなどの手間などを省くことができる。また本発明の器本体が従来の保冷材などのように硬化せず自在に変形できるので、断熱体と一体に構成された凹部を器本体と満遍なく接触させることが可能となり、凹部に投入した食材等の被冷却体を効率よく冷凍処理することができる。
【００３３】
本発明の請求項７による冷凍具は、器本体に、被冷却体を入れて冷凍もしくは冷却処理する少なくとも一箇所以上の凹部を具備したことを特徴としているので、食材等の被冷却体の入った容器を差し込めば冷蔵庫以外の場所でアイスキャンディーや氷をつくるなどの冷凍もしくは冷却処理ができる。器本体の凹部は変形可能な軟らかな材料で形成されていて挿入した容器と満遍なく接触する。凹部にキー溝を設けるなどすれば、容器の抜き差しの際の空気の逃げや凹部の変形などで容器の抜き差しが楽になる。
【００３４】
凹部を複数設ければ、一度に色々な食材を使って色々な冷凍調理を楽しみたいという潜在ニーズに応えることができる。また同じ食材を使った場合でも凹部が複数あると容器に小分けでき冷凍調理する時間もより短くなる。凹部を上から見た形も、円形や四角形やハート形など個々異なった形にすれば調理をより楽しくすることができる。
【００３５】
本発明の請求項８による冷凍具は、器本体が被冷却体を両面から挟み込む構造であって、被冷却体を器本体内に保持し冷凍もしくは冷却処理することを特徴としている。投入した被冷却体と当接する器本体の両面が変形するので、接触面積の増加による冷凍処理の促進、被冷却体の外気との遮断による保冷、投入できる被冷却体の形状に自由度があるなどの効果が期待できる。
【００３６】
また、器本体の外周部に断熱体を具備すれば、手が冷えずに持ち運びでき便利である。家庭やお店の冷凍室から本発明の冷凍具と好きな食材（飲料・冷凍食品など）を入手してアウトドアで冷凍もしくは冷却調理を手軽に楽しむこともでき実用的で重宝である。
【００３７】
本発明の請求項９による冷凍具は、器本体の外周部が二重構造の袋状であって、二重構造の空洞部に２種類の潜熱蓄冷材を収納し、器本体の袋状内部に被冷却体を出し入れ可能に保持することを特徴としている。器本体の袋状部が変形可能なので、外部よりモミモミなどして投入した被冷却体の冷凍もしくは冷却処理を促進することができる。
【００３８】
また被冷却体の外気との遮断による保冷、投入できる被冷却体の形状に自由度がある、器本体の外周部の断熱体により手が冷えずに持ち運びできるなどの効果も期待できる。
器本体の外周部の一部に断熱体がないかもしくは外周部の一部の断熱体をはがすことができれば、断熱体のない外周部で被冷却体の冷凍もしくは冷却処理することもできる。
【発明の効果】
【００３９】
以上詳述したように本発明による被冷却体の形状に合わせて変形可能な冷凍性能の高い冷凍具により、身近な調理具などを使って好きな食材で独自の冷凍もしくは冷却料理を手軽に作ったりできる。また熱い牛乳などの料理を徐々に人肌まで冷やすなどの冷却用途にも転用することもでき他の調理器と同様に重宝な冷凍具として使うことができる。
【００４０】
冷蔵庫から出した冷凍具に、食材の入った調理具や缶やビンなどを押し当て冷凍処理して飲食した後、冷凍具を冷蔵庫に戻すだけといったような利便性や、身近な調理具や食材を使っての冷凍調理のし易さや、冷蔵庫で冷やす時間が短く且つ室温で所望の量の被冷却体を冷凍できるといった冷凍具性能などに優れた使い勝手の良い冷凍具を提供することができる。また新たな冷凍料理の出現や新たな食の楽しみ方も期待できる。
【００４１】
また詳述した本発明の構成により、会社でも移動できる簡易的な冷凍具もしくは保冷具としての社内用途やニュービジネスなどの場での新たな活用が期待できる。従来打撲などの応急処置として氷を利用していたスポーツなどの場でも、潜熱蓄冷材で冷凍性能が高く且つ変形自在の特性を持つ本発明の冷凍具の用途は広がるものと予想される。
【００４２】
家庭や会社やスポーツなどで、様々な被冷却体に対する多様な冷凍・冷却もしくは保冷処理の潜在ニーズがあるにも拘らず、潜熱蓄冷層の空気の存在や氷の利用などによる冷凍性能の不足や凝固するとカチカチに固まる等の問題により、減温冷凍できる真に実用的な器具が出回っていないことを考慮すると本発明の冷凍具の社会に果たす役割は大きい。
【発明を実施するための最良の形態】
【００４３】
本発明を実施するための形態を実施例１から実施例８で説明する。
【実施例１】
【００４４】
図１は本発明の第１実施例を示す縦断面図であり、図１を下に本発明の冷凍具を説明する。１は冷凍具の器本体で、器本体１の全体もしくは少なくとも被冷却体と当接する器本体の変形部２がシリコンゴムや金属箔やプラスチックフィルムなどの軟らかい材料で形成されている。器本体１の空洞部は、潜熱蓄冷材４と潜熱蓄冷材４より凝固点温度の高い潜熱蓄冷材５を充填した球形の複数の仕切り部材の容器３とで満たされている。
【００４５】
冷凍室などで潜熱蓄冷材４が冷やされて潜熱蓄冷材５の凝固点温度より下がるので凝固点温度の高い方の潜熱蓄冷材５が凝固することができる。潜熱蓄冷材４は、通常冷凍室内では完全に凝固しない仕様で液体もしくは半凝固状態なので流動性があり、調理器具や食器やビンや缶や人体などの被冷却体の形状に応じて器本体の変形部２が自在に変形して密着し被冷却体を冷凍もしくは冷却処理することができる。
【００４６】
高性能な冷蔵庫などで潜熱蓄冷材４が完全に凝固することもあり得るが、冷凍具が利用される時、潜熱蓄冷材５が凝固で潜熱蓄冷材４が液体もしくは半凝固状態になるように冷蔵庫から早めに取り出せば本発明と同様の効果が得られるのは明らかである。また冷凍具を冷蔵庫から取り出してから利用するまで時間がある用途においては潜熱蓄冷材４を冷凍室で凝固させる商品仕様であっても勿論良い。
【００４７】
但し潜熱蓄冷材４は潜熱蓄冷材５より凝固点温度が低くなければならない。実施例の潜熱蓄冷材５は、安価で安全な塩化ナトリウム（食塩）を溶かした水溶液で家庭用冷蔵庫の一般仕様が−１８℃以下なので、例えば−１５℃で凝固する仕様である。実施例の潜熱蓄冷材４は、安価で安全な食用塩の塩化カルシウムなどを溶かした水溶液で家庭用の高性能の冷蔵庫を考慮し例えば約−３０℃で凝固を始める仕様とする。
【００４８】
仕切り部材の容器３は、潜熱蓄冷材５が凝固する時の膨張や熱伝導性や冷熱繰り返しなどを考慮しシリコンゴムや金属箔やプラスチックフィルムなどの材料で形成されている。また容器３の外周部を凹凸や波形状として、収縮変形する際の強度アップや表面積増加による熱伝導の向上などを図っても勿論良い。
【実施例２】
【００４９】
図２は本発明の第２実施例を示す縦断面図であり、器本体１を包む断熱体６を具備したことを特徴とする。断熱体６は、冷凍具への水滴付着防止や大気への熱損失の低減や器本体の補強や手の凍傷防止などの効果を担っている。器本体１を冷凍室に入れる時、断熱体６を取り外せばより早く潜熱蓄冷材５を凝固させることができる。
【００５０】
断熱体６の材料は、例えばプラスチックや木材や陶磁器などであり、器本体１の側面も変形可能な材料で形成されていれば断熱体６の内側になじんで取り付けられる。器本体の変形部２に被冷却体もしくは被冷却体の入った調理具を当接して利用する。また飲料などの入ったグラスを置くコースターなど様々な仕様の商品展開が可能である。
【００５１】
また器本体１内の潜熱蓄冷材４の保持部に、熱伝導材７を設けているので器本体１内の潜熱蓄冷材４間の熱伝導や潜熱蓄冷材５の凝固もしくは融解が促進される。熱伝導が促進されるように仕切り部材の容器３内にも熱伝導材７を設けても勿論良い。尚、器本体１や容器３の図２の形状は潜熱蓄冷材５が凝固し膨張した時の形状であり潜熱蓄冷材５が凝固する前の器本体１や容器３の外形形状は、通常凹んでいるかしわが寄ったりしている。
【実施例３】
【００５２】
図３は、本発明の第３実施例を示す縦断面図であり、潜熱蓄冷材４と潜熱蓄冷材５がシート状の仕切り部材８で分離されている実施例である。潜熱蓄冷材５が膨張すると、図３の二点鎖線の位置の仕切り部材８が伸びて実線の位置まで移動する。仕切り部材８は、シリコンゴムや金属箔やプラスチックフィルムなどの材料で形成されており、仕切り部材８は器本体１と一体であっても器本体１に別部材を取り付けた構成であっても良い。
【実施例４】
【００５３】
図４は、本発明の第４実施例を示す縦断面図であり、手で持って操作するための取っ手９を設けた実施例である。取っ手１３は器本体１側に設けても断熱体６側に設けても良い。取っ手９を握って操れる冷凍具なので、何処ででも被冷却体に押し当てれば冷凍もしくは冷却処理することができる。また対象となる被冷却体もあまり限定されない。
【実施例５】
【００５４】
図５は、本発明の第５実施例を示す縦断面図であり、断熱体６と一体に、被冷却体を投入する凹部１０を具備した実施例である。箱状などの断熱体６に冷蔵庫などで蓄冷した器本体１を入れて、被冷却体を投入する凹部１０が器本体１の変形部２に当接するように取り付けられる。器本体の変形部２は凹部１０になじんで変形する。器本体１とは反対側の凹部１０に被冷却体が投入されると冷凍もしくは冷却処理される。
【実施例６】
【００５５】
図６は、本発明の第６実施例を示す縦断面図であり、被冷却体を冷凍する器本体の凹部１２を設けた実施例である。器本体の凹部１２に食材などの被冷却体の入った容器１１を挿入すると、器本体の凹部１２が容器１１の形状に合わせて変形して密着し容器１１の中の被冷却体が冷凍される。また器本体の凹部１２に食材などの被冷却体を直接投入してアイスキャンディーなどを作っても良いことは明らかである。
【００５６】
図７は、本発明の第６実施例の一例を示す斜視図であり、被冷却体を冷凍する器本体の凹部１２を２ケ所および器本体の凹部の溝部１３を具備した実施例である。溝部１３によって、容器１１の抜き差しの際の空気の逃げなどで容器１１の抜き差しが楽になる。また容器１１は、市販の飲食料の入った缶やビンや袋であっても勿論良い。
【実施例７】
【００５７】
図８は、本発明の第７実施例を示す縦断面図であり、被冷却体の入った容器１１を両面から挟み込んで器本体の凹部１２が容器１１の形状に合わせて変形し、冷凍もしくは冷却もしくは保冷する実施例である。また器本体１の外周部に断熱体６を具備しているので、飲食料の入った缶やビンや袋などの容器１１をはさみ込んで携帯用として手が冷えずに持ち運びできる。
【００５８】
また器本体の凹部１２をハート型やおにぎり型などにすれば、飲食料の食材などを直接凹部１２に投入してはさみ込み冷凍もしくは冷却することもできる。実施例では、器本体１の両面の変形部１２が凹形状であるが、片面が凹形状でもう一方の片面が平面や凸形状にすれば被冷却体を冷凍調理する様々な要望に応えることができる。図９は、本発明の第７実施例の一例を示す斜視図である。
【実施例８】
【００５９】
図８は、本発明の第８実施例を示す縦断面図であり、器本体１の袋状の二重構造部１４内に、潜熱蓄冷材４と潜熱蓄冷材５を収納し、器本体の袋状内部１５に被冷却体を出し入れ可能に保持する実施例である。器本体１の袋状の二重構造部１４や外周の断熱体６は軟らかい材料で形成されていて、外部よりモミモミなどして被冷却体の冷凍もしくは冷却を促進することができる。断熱体６を捲り取れば器本体１の外周部で被冷却体を冷凍することもできる。また本発明の冷凍具は携帯用として手が冷えずに持ち運びできる。
【図面の簡単な説明】
【００６０】
【図１】本発明の第１実施例を示す縦断面図である。
【図２】本発明の第２実施例を示す縦断面図である。
【図３】本発明の第３実施例を示す縦断面図である。
【図４】本発明の第４実施例を示す縦断面図である。
【図５】本発明の第５実施例を示す縦断面図である。
【図６】本発明の第６実施例を示す縦断面図である。
【図７】本発明の第６実施例を示す斜視図である。
【図８】本発明の第７実施例を示す縦断面図である。
【図９】本発明の第７実施例を示す斜視図である。
【図１０】本発明の第８実施例を示す縦断面図である。
【符号の説明】
【００６１】
１  器本体
２  器本体の変形部
３  仕切り部材の容器
４  凝固点温度の低い方の潜熱蓄冷材
５  凝固点温度の高い方の潜熱蓄冷材
６  断熱体
７  熱伝導材
８  仕切り部材
９  取っ手部
１０  被冷却体を投入する凹部
１１  被冷却体の入った容器
１２  器本体の凹部
１３  器本体の凹部の溝部
１４  袋状の二重構造部
１５  器本体の袋状内部    
【図１】
2006200813.tif 000003
【図２】
2006200813.tif 000004
【図３】
2006200813.tif 000005
【図４】
2006200813.tif 000006
【図５】
2006200813.tif 000007
【図６】
2006200813.tif 000008
【図７】
2006200813.tif 000009
【図８】
2006200813.tif 000010
【図９】
2006200813.tif 000011
【図１０】
2006200813.tif 000012